【手続補正書】
【提出日】平成17年8月30日(2005.8.30)
【手続補正１】
【補正対象書類名】特許請求の範囲
【補正対象項目名】全文
【補正方法】変更
【補正の内容】
【特許請求の範囲】
【請求項１】
噴射ノズル４が後方に配設され、
該噴射ノズル４から前方に第１燃焼室１および第２燃焼室２がこの順序で直接または継ぎ手３を介して直列に結合する状態で配設され、
第１燃焼室内に前後に貫通する中空部を有する第１推進薬６、第２燃焼室内に前後に貫通する中空部を有する第２推進薬７がそれぞれ配設され、
第１推進薬６を選択的に発火させる位置の壁面に１個以上の貫通孔と、第１点火用筐体１２の前方側端部に第１点火薬１０を発火させる機構が取り付けられた第１封鎖体１４とを有し、かつ第１点火薬１０を内部に装填した第１点火用筐体１２が第１燃焼室内の前後中心軸上に配設され、
第２推進薬７の中空部壁面を直接発火させる位置で壁面に１個以上の貫通孔と、第２点火用筐体１３の前方側端部に第２点火薬１１を発火させる機構が取り付けられた第２封鎖体１５とを有し、かつ第２点火薬１１を内部に装填した第２点火用筐体１３が第２推進薬７の中空部に配設され、
ロケットモータ胴部の円周全体で外周端部が固定され、第１点火用筐体１２と第２点火用筐体１３との間で内周端部が固定された隔膜９が第１推進薬６と第２推進薬７とを隔絶するように配設され、
該隔膜９が第１点火薬１０の発生ガスおよび第１推進薬６の燃焼ガスでは破断あるいは消失せず、第２推進薬７の燃焼ガスおよび第２点火薬１１の発生ガスで破断あるいは消失する２段推力型ロケットモータ。
【請求項２】
隔膜９がＥＰＤＭゴム、シリコーンゴム、有機繊維を含有するＥＰＤＭゴムもしくはシリコーンゴムや、無機繊維を含有するＥＰＤＭゴムもしくはシリコーンゴムであることを特徴とする請求項１記載の２段推力型ロケットモータ。
【請求項３】
隔膜９が第２推進薬７の後部端面または第２推進薬７の中空部壁面で接着されていることを特徴とする請求項１〜２のいずれか一項に記載の２段推力型ロケットモータ。
【請求項４】
第１点火薬１０を発火させる機構が第１イニシエータ２６と、第２封鎖体１５、第２点火用筐体１３およびそれと連結された第１封鎖体１４の全てを貫通して第１点火用筐体１２内部まで伸び出ており、かつイニシエータ２６の着火を伝搬する助装薬２４を内部に備えた管体２３とからなることを特徴とする請求項１〜３のいずれか一項に記載の２段推力型ロケットモータ。
【請求項５】
第２点火薬１１を発火させる機構がイニシエータ２２と、第２封鎖体１５内にあって、イニシエータ２２の着火を伝搬する第２助装薬２１とからなることを特徴とする請求項１〜４のいずれか一項記載の２段推力型ロケットモータ。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
第１の発明は、噴射ノズル４が後方に配設され、
該噴射ノズル４から前方に第１燃焼室１および第２燃焼室２がこの順序で直接または継ぎ手３を介して直列に結合する状態で配設され、第１燃焼室内に前後に貫通する中空部を有する第１推進薬６、第２燃焼室内に前後に貫通する中空部を有する第２推進薬７がそれぞれ配設され、第１推進薬６を選択的に発火させる位置の壁面に１個以上の貫通孔と、第１点火用筐体１２の前方側端部に第１点火薬１０を発火させる機構が取り付けられた第１封鎖体１４とを有し、かつ第１点火薬１０を内部に装填した第１点火用筐体１２が第１燃焼室内の前後中心軸上に配設され、第２推進薬７の中空部壁面を直接発火させる位置で壁面に１個以上の貫通孔と、第２点火用筐体１３の前方側端部に第２点火薬１１を発火させる機構が取り付けられた第２封鎖体１５とを有し、かつ第２点火薬１１を内部に装填した第２点火用筐体１３が第２推進薬７の中空部に配設され、ロケットモータ胴部の円周全体で外周端部が固定され、第１点火用筐体１２と第２点火用筐体１３との間で内周端部が固定された隔膜９が第１推進薬６と第２推進薬７とを隔絶するように配設され、該隔膜９が第１点火薬１０の発生ガスおよび第１推進薬６の燃焼ガスでは破断あるいは消失せず、第２推進薬７の燃焼ガスおよび第２点火薬１１の発生ガスで破断あるいは消失する２段推力型ロケットモータである。
【手続補正４】
【補正対象書類名】明細書
【補正対象項目名】００１２
【補正方法】変更
【補正の内容】
【００１２】
第２の発明は、隔膜９がＥＰＤＭゴム、シリコーンゴム、有機繊維を含有するＥＰＤＭゴムもしくはシリコーンゴムや、無機繊維を含有するＥＰＤＭゴムもしくはシリコーンゴムであることを特徴とする第１の発明の２段推力型ロケットモータである。
【手続補正５】
【補正対象書類名】明細書
【補正対象項目名】００１３
【補正方法】変更
【補正の内容】
【００１３】
第３の発明は、隔膜９が第２推進薬７の後部端面または第２推進薬７の中空部壁面で接着されていることを特徴とする第１〜２の発明のいずれかの２段推力型ロケットモータである。
【手続補正６】
【補正対象書類名】明細書
【補正対象項目名】００１４
【補正方法】変更
【補正の内容】
【００１４】
第４の発明は、第１点火薬１０を発火させる機構が第１イニシエータ２６と、第２封鎖体１５、第２点火用筐体１３およびそれと連結された第１封鎖体１４の全てを貫通して第１点火用筐体１２内部まで伸び出ており、かつ第１イニシエータ２６の着火を伝搬する助装薬２４を内部に備えた管体２３とからなることを特徴とする第１〜３の発明のいずれかの２段推力型ロケットモータである。
【手続補正７】
【補正対象書類名】明細書
【補正対象項目名】００１５
【補正方法】変更
【補正の内容】
【００１５】
第５の発明は、第２点火薬１１を発火させる機構がイニシエータ２２と、第２封鎖体１５内にあって、イニシエータ２２の着火を伝搬する第２助装薬２１とからなることを特徴とする第１〜４の発明のいずれかの２段推力型ロケットモータである。
【手続補正８】
【補正対象書類名】明細書
【補正対象項目名】００１６
【補正方法】変更
【補正の内容】
【００１６】
第１の発明によれば、第２点火薬を装填した第２点火用筐体を第２推進薬の中空部に配置しているために、第２点火薬を装填するための空間を第２燃焼室の前方部分に設ける必要がない。それによって、燃焼室の前方構造が大きくなることによる構造重量の増加が防げ、モータの軽量化が達成でき、射程距離の延伸が可能となる。
また、第２点火薬の発火ガスは、装填されている第２点火用筐体の壁面に設けられた貫通孔から排出され相対する第２推進薬の表面を直接着火させると同時に、発火ガスは隔膜と第２推進薬の隙間の空間に流入して、その空間に面している推進薬表面も直接着火させることができる。この広い面積が第２点火薬の発火ガスにより直接着火することで、第２推進薬の燃焼ガスの初期の発生量が大きくなり、隔膜の破断あるいは消失までの時間が短くなる。これにより第２段推力の立ち上がり遅れが発生することを防ぐことができる。
こうして本発明の２段推力型ロケットモータを使用した飛翔体は速度低下などの問題を発生することもなく信頼性のある飛翔性能が得られる。
【手続補正９】
【補正対象書類名】明細書
【補正対象項目名】００１７
【補正方法】変更
【補正の内容】
【００１７】
また第２の発明によれば、第１点火薬の発生ガスおよび第１推進薬の燃焼ガスでは破断あるいは消失せず、第２推進薬の燃焼ガスおよび第２点火薬の発生ガスで確実に破断あるいは消失すると共に、第２点火薬が発火する前に第２推進薬が着火しない。
また第３の発明によれば、保管時の隔膜の自重あるいは輸送時の振動などにより隔膜が変形することを防止することができ、隔膜に要求される厚み、配置を維持することが可能となる。
【手続補正１０】
【補正対象書類名】明細書
【補正対象項目名】００１８
【補正方法】変更
【補正の内容】
【００１８】
また第４の発明によれば、第１点火薬を着火する第１イニシエータを第２点火薬を着火する第２イ二シエータと同じ封鎖体に取り付けることにより、第１点火薬を着火するイニシエータに断線などの問題が発生して交換が必要な場合にも、モータを分解することなく、容易にイニシエータの交換が可能となる。また通常ロケットモータでイグナイタに取り付けられている安全装置（イニシエータの発火ガスが点火薬を不時に発火させないようにする装置）をイニシエータを取り付けた封鎖体に容易に組み込むことが可能となる。
【手続補正１１】
【補正対象書類名】明細書
【補正対象項目名】００１９
【補正方法】変更
【補正の内容】
【００１９】
また第５の発明によれば、イニシエータの発火ガスのみでは発火が確実に行えない、あるいは発火に遅れが生じてしまう場合に、助装薬の発火ガスにより点火薬の発火を確実に遅れなく行うことが可能となる。